(57)【要約】  【課題】  断熱材を脱落することなく取り付けでき、内部のフレームに結露の生じることのない建築用外装パネルを提供する。  【解決手段】  縁枠状の側面を有した方形の建築用外装パネル１０であって、側面１１に内方への折曲端部１２を形成し、対向側面において互い違いとなるように側面部位に結着孔１３を形成してなり、断熱材を止着可能な接続部２３を有するとともに結着孔１３への掛止片２１を突設し、折曲端部１２に係合する支持片２２を具備したクリップ２０を装着してなる構成を有することを特徴とする。【選択図】図１
2005220735.tif 000002
【特許請求の範囲】
【請求項１】
縁枠状の側面を有した方形の建築用外装パネルであって、側面に内方への折曲端部を形成し、対向側面において互い違いとなるように側面部位に結着孔を形成してなり、断熱材を止着可能な接続部を有するとともに結着孔への掛止片を突設し、折曲端部に係合する支持片を具備したクリップを装着してなる構成を有する建築用外装パネル。
【請求項２】
クリップの少なくとも掛止部分の幅を結着孔の幅よりも小さく形成したことを特徴とする請求項１に記載の建築用外装パネル。
【発明の詳細な説明】
【技術分野】
【０００１】
本発明は、建築物の外壁に取り付ける建築用外装パネルに関する。
【背景技術】
【０００２】
従来の建築用外装パネル１０ａの一例としては、図５に示すように、各パネル１０ａの側面１１ａの先端部をパネル外方に折曲して折曲端部１２ａを形成し、折曲端部１２ａが当接し合うように格子状のフレーム４０ａに配し、ビス等で固定し、各パネル１０ａ間をシール材６０ａでシールしたものがある。このような外装パネルは、熱により伸縮した際、端部が当接し合うように配してあるので、パネルが歪み、外面に凹凸ができてしまい美観上好ましくなかった。
このような問題に対処するため、パネルの上下及び左右の端部を、Ｕ字状金具を介してフレームに連結し、熱などによる伸縮の吸収を可能としたものが開発されている（例えば、下記特許文献１参照）。
【０００３】
【特許文献１】特開平１１−１０７４９２号公報
【発明の開示】
【発明が解決しようとする課題】
【０００４】
上記従来のパネル１０ａは内方に断熱材５０ａを設けることもある。これをパネル１０ａに固定するには、接着テープ等を使用しているため、年月とともに粘着力が弱まり、断熱材が脱落するおそれがあるという問題があった。
また、金属製の外装パネルは、熱伝導がよいため、屋外が冷え込むと、内部のフレームにも熱が伝導して、建築物内部に結露が生じるなどの問題もあった。
本発明は、上記課題に鑑み、断熱材を脱落することなく取り付けでき、内部のフレームに熱が伝導しにくいようにし、さらには、取り扱う際、手を切るなど身体に傷を負うおそれがなく、熱による伸縮に対しても、パネル外面が変形して美観を損ねることがない建築用外装パネルを提供せんとするものである。
【課題を解決するための手段】
【０００５】
上記課題を解決するために、本発明は、縁枠状の側面を有した方形の建築用外装パネルであって、側面に内方への折曲端部を形成し、対向側面において互い違いとなるように側面部位に結着孔を形成してなり、断熱材を止着可能な接続部を有するとともに結着孔への掛止片を突設し、折曲端部に係合する支持片を具備したクリップを装着して、建築用外装パネルを構成したことを特徴とするものである。
上記クリップの少なくとも掛止部分の幅は、摺動可能となるように結着孔の幅よりも小さく形成することが好ましい。
上記建築用外装パネルは、接続部を好ましくは断熱材を介装してフレームにビス等で締結することができ、この締結は接続部とフレームが互いに摺動可能となるように行うことができる。
【発明の効果】
【０００６】
本発明の建築用外装パネルは、パネルの側面を、パネル内方に折曲した折曲端部として形成してあるので、断熱材を納めても、脱落することなく保持でき、また、エッジで手を切るなど身体に傷を負うおそれがない。
しかも、結着孔をクリップよりも幅広に形成し、クリップをフレームに対して摺動可能に固定すれば、熱によりパネルが伸縮しても伸縮を吸収でき、パネルが変形することはない。
クリップの接続部のフレームに固定する側に断熱材を備えることにより、内部のフレームに熱が伝わらず、建築物内に結露を生じることのないパネルとなる。
【発明を実施するための最良の形態】
【０００７】
以下、本発明の好適な実施形態を図面を用いて説明する。
図１〜４は、本発明の建築用外装パネルを格子天井とした一実施形態例を示した図である。
本発明の建築用外装パネル１０は、アルミニウムなどの金属製方形板材の側端部を屋内側（図１の下側）に折曲して側面１１を形成し、側面の先端側の縁端部１４に、パネル内方に直角状に折曲した折曲端部１２を形成し、側面１１内に結着孔１３を形成してある。
【０００８】
結着孔１３は、側面１１の長手方向に沿い開口した略矩形状孔で、クリップ２０の幅よりも広い幅の孔としてあり、各側面１１に適宜数形成し、パネル１０をフレーム４０に配した際、隣接した同形パネル１０の対向する側面１１に形成した結着孔１３と互い違いの位置となるように形成してある。本実施形態では、各側面１１に２個の結着孔１３を設けてあるが、これに限定するものではなく、パネル１０の大きさに合わせて増減させるのが好ましい。
【０００９】
クリップ２０は、結着孔１３よりも幅狭に形成してあり、結着孔１３に掛止可能な掛止片２１と、折曲端部１２に掛止可能な支持片２２と、フレームに固定可能な接続部２３とを有し、掛止片２１と支持片２２を掛止した状態において、接続部２３がパネル１０の縁端部１４から折曲端部１２とは逆に外方に突出するように形成してあり、この状態でパネル１０に掛止される。
【００１０】
上記接続部２３は、断面下向きＣ形のリップ溝形状とし、上面に長孔１５を形成し、長孔１５を介してビス等を挿通し、下側に配設したフレーム４０に締結することにより、接続部２３とフレーム４０とが互いに摺動可能に固定できるようにしてある。上記リップ溝部分は断熱板３０を取り付けて、クリップ２０とフレーム４０との間に断熱材が介在できるようにしてある。
【００１１】
上記掛止片２１は、接続部２３の長手内側端部から上方に側面１１に沿うように突設し、上端部を折曲してパネル１０内方に突出させ、結着孔１３に掛止できるようにしてある。
支持片２２は、掛止片２１の下端部乃至接続部２３の内側端部からパネル内方に略水平状に突設し、掛止片２１をパネル１０に掛止した状態において、折曲端部１２に沿うように形成するとともに、その先端部を上側にＵ字状に折返し、先端に係止突起を形成して、折曲端部１２に対しその先端部を巻き込むようにして掛止した状態となるようにしてある。
【００１２】
断熱板３０は、熱を伝導しにくい材質のもので板状形成してあり、材質は特に限定するものではないが、合成樹脂、ガラス繊維などで形成するのが好ましい。断熱板３０は装着するのが好ましいが、備えない構成とすることもできる。
【００１３】
以下、本発明の上記実施形態のパネル１０をフレーム４０に取り付ける方法を説明する。
図２に示すように、クリップ２０の支持片２２を折曲端部１２に掛止させた上で、クリップ２０を回転させつつ、支持片２２と掛止片２１をパネル面に圧接させるようにすると、両片特に支持片先端部が若干弾性変形するとともにその復元力を利用して、掛止片２１先端部に形成した突出部が結着孔１３に係合し掛止する。
パネル１０の内方に、断熱材５０をその端部が折曲端部１２とパネル１０の上面（屋外側面）とにより保持されるように納める。本実施形態では、断熱材５０を設けてあるが、断熱材５０を設けない構成とすることもできる。
図３に示すように、中空矩形断面のフレーム４０面上にクリップ２０を適宜位置に配し、予め断熱板３０を介装し、ビス等を接続部２３の長孔１５に挿通してフレーム４０に若干緩めに締結する。長孔１５としてあるためクリップ２０は、掛止してあるパネル１０の側面１１に対して摺動可能となる。複数のパネル１０を上記と同様に隣接するように配し、各パネル１０間にシール材６０を充填して建築物の外装を形成できる。
【００１４】
本発明の建築用外装パネル１０は、折曲端部１２をパネル内方に突設してあるので、これにより断熱材５０を保持でき、脱落しにくいものである。また、クリップ２０とフレーム４０との間に断熱板３０が介装されているのでパネル１０が外気により冷やされても、フレーム４０がパネル１０により冷やされず、建築物屋内まで冷やされることがなく、結露を生じにくいものである。
【００１５】
結着孔１３は、隣接したパネルの対向する側面に形成した結着孔と互い違いの位置に形成してあるので、図４に示すように、クリップ２０も互い違いの位置となるようフレーム４０に配される。このため、パネル１０が熱により伸縮しても伸縮方向に位置するクリップ２０は端部が当接することなく摺動でき、伸縮方向に沿う位置にあるクリップ２０は、結着孔１３よりも幅狭に形成してあり伸縮を吸収できるため、パネル１０が変形することがない。
【００１６】
さらには、折曲端部１２をパネル内方に折曲してあるので、運搬時や作業時などに手などを切るおそれがなく、梱包するときも積載しやすいものとなる。
なお、上記実施形態の構成態様は、本発明を限定するものとして挙げたものではなく、技術目的と効用を共通にする変更が可能であり、本発明はそれらを含むものである。
【図面の簡単な説明】
【００１７】
【図１】本発明の建築用外装パネルの一実施形態を示した一部破断側面図である。
【図２】図１の建築用外装パネルにおいて、クリップの取付方法を示した側断面図である。
【図３】図１の建築用外装パネルをフレームに設置した状態を示した側断面図である。
【図４】図１の建築用外装パネルをフレームに設置した状態を示した平面図である。
【図５】従来の建築用外装パネルの一例を示した側断面図である。
【符号の説明】
【００１８】
１０、１０ａ建築用外装パネル  １１、１１ａ側面  １２、１２ａ折曲端部
１３結着孔  １４縁端部  １５長孔  ２０クリップ  ２１掛止片  ２２支持片
２３接続部  ３０断熱板  ４０、４０ａフレーム  ５０、５０ａ断熱材
６０、６０ａシール材
【図１】
2005220735.tif 000003
【図２】
2005220735.tif 000004
【図３】
2005220735.tif 000005
【図４】
2005220735.tif 000006
【図５】
2005220735.tif 000007